(57)【特許請求の範囲】
【請求項１】
型枠６を周囲から締め付ける構造体に於て、端部に長手方向に所定ピッチＰにて係止孔20…を有すると共に平行に所定間隔Ｋにて配設される２本の長尺部材２，２と、該２本の長尺部材２，２の両端部に取外自在に固定されるコーナー締付受具１，１と、隣り合う該２本の長尺部材２，２の該コーナー締付受具１，１を結合するためのタイボルト３と、該タイボルト３に螺合するナット４と、を備え、
上記コーナー締付受具１は、山型の係止折曲部13と、該係止折曲部13の両下端縁に延設される第１底壁部14ａ及び第２底壁部14ｂと、該第１底壁部14ａに設けられると共に上記２本の長尺部材２，２の上記係止孔20，20に挿入される滑り止め用突出子10，10と、該第２底壁部14ｂに設けられると共に該２本の長尺部材２，２の該係止孔20，20に挿入されるボルト５，５を挿入する貫孔11，11と、を有し、
さらに、上記コーナー締付受具１は、上記第１底壁部14ａから上記係止折曲げ部13の上記第２底壁部14ｂの直前位置まで設けられたタイボルト差込凹溝12を有し、かつ、上記貫孔11が上記長尺部材２の端部側となるように配設され、
上記タイボルト３は、上記２本の長尺部材２，２の間及び上記タイボルト差込凹溝12に挿通され、上記係止折曲部13と上記ナット４との間には、該タイボルト差込凹溝12の溝幅Ｍよりも大きい当接部材９が介在されることを特徴とする型枠用締付構造体。
【請求項２】
２本の長尺部材２，２を、相互に分離可能な別部材とした請求項１記載の型枠用締付構造体。
【請求項３】
長尺部材２は、直列状に配設された複数の長尺部材単体２ａ…と、隣り合う長尺部材単体２ａ，２ａを相互に結合するジョイントアングル材７と、から成る請求項１又は２記載の型枠用締付構造体。
【請求項４】
ジョイントアングル材７は、内面に予め溶接されたナット21を有し、長尺部材単体２ａの内面側に配設されて、長尺部材単体２ａの外面側からボルト22にて共締めされる請求項３記載の型枠用締付構造体。
【発明の詳細な説明】
【０００１】
【発明の属する技術分野】
本発明は、型枠用締付構造体に関する。
【０００２】
【従来の技術】
従来の型枠用締付構造体は、型枠の周囲（平面視四辺）に配設される長尺部材と、向かい合う（対辺にある）長尺部材の端部を相互に締め付ける長尺ボルト及びナットと、を有し、型枠を周囲から締め付けていた。
【０００３】
【発明が解決しようとする課題】
しかしながら、従来の型枠用締付構造体では、長尺部材及び長尺ボルトが、型枠の一辺よりも長くなり、重量が大きくなると共に嵩張るため、持ち運びが不便であり、枠体の組立乃至解体が困難であった。
【０００４】
そこで、本発明は、持ち運びに至便であると共に型枠の組立乃至解体を容易に行える型枠用締付構造体を提供することを目的とする。
【０００５】
【課題を解決するための手段】
上述の目的を達成するために、本発明に係る型枠用締付構造体は、型枠を周囲から締め付ける構造体に於て、端部に長手方向に所定ピッチにて係止孔を有すると共に平行に所定間隔にて配設される２本の長尺部材と、該２本の長尺部材の両端部に取外自在に固定されるコーナー締付受具と、隣り合う該２本の長尺部材の該コーナー締付受具を結合するためのタイボルトと、該タイボルトに螺合するナットと、を備え、上記コーナー締付受具は、山型の係止折曲部と、該係止折曲部の両下端縁に延設される第１底壁部及び第２底壁部と、該第１底壁部に設けられると共に上記２本の長尺部材の上記係止孔に挿入される滑り止め用突出子と、該第２底壁部に設けられると共に該２本の長尺部材の該係止孔に挿入されるボルトを挿入する貫孔と、を有し、さらに、上記コーナー締付受具は、上記第１底壁部から上記係止折曲げ部の上記第２底壁部の直前位置まで設けられたタイボルト差込凹溝を有し、かつ、上記貫孔が上記長尺部材の端部側となるように配設され、上記タイボルトは、上記２本の長尺部材の間及び上記タイボルト差込凹溝に挿通され、上記係止折曲部と上記ナットとの間には、該タイボルト差込凹溝の溝幅よりも大きい当接部材が介在される。
【０００６】
また、２本の長尺部材を、相互に分離可能な別部材としている。また、長尺部材は、直列状に配設された複数の長尺部材単体と、隣り合う長尺部材単体を相互に結合するジョイントアングル材と、から成っている。また、ジョイントアングル材は、内面に予め溶接されたナットを有し、長尺部材単体の内面側に配設されて、長尺部材単体の外面側からボルトにて共締めされる。
【０００７】
【発明の実施の形態】
以下、実施の形態を示す図面に基づき、本発明を詳説する。
【０００８】
図１と図２に、本発明に係る型枠用締付構造体の実施の一形態を示し、本構造体は、型枠６の周囲（平面視四辺）に配設される長尺部材２…と、該長尺部材２の両端部に取外自在に固定されるコーナー締付受具１，１と、を有し、隣り合う長尺部材２，２のコーナー締付受具１，１を、タイボルト３及びナットにて、結合し、型枠６を周囲から締め付けるものである。なお、図２では、コーナー締付受具１とタイボルト３及びナットを、省略して描いている。
【０００９】
型枠６は、内部にコンクリートが打ち込まれるものであり、例えば、２つの長辺壁部６ａ，６ａと、２つの短辺壁部６ｂ，６ｂと、４つの角壁部６ｃ…と、から成っている。
【００１０】
長尺部材２…は、長辺壁部６ａ，６ａ及び短辺壁部６ｂ，６ｂの夫々に、両角壁部６ｃ，６ｃ方向（辺）に沿って───長尺部材２の長手方向が両角壁部６ｃ，６ｃ方向と一致するように───配設されている。即ち、各長辺壁部６ａ（短辺壁部６ｂ）に於て、２本の長尺部材２，２が、長手方向所定間隔毎に設けられた取付部材23…等にて、一体状に固定されて、一組の長尺部材２，２を構成し、その一組の長尺部材２，２が、複数平行に配設されている。なお、長尺部材２の外面側に、長尺部材２の長手方向と直角方向に配設された補強杆24…が、取り付けられ、型枠６を堅牢に締め付けることができる。
【００１１】
長辺壁部６ａに対応する長尺部材２の全長は、型枠６の長辺の長さ（長辺壁部６ａと両角壁部６ｃ，６ｃとの合計長さ）よりも短く設定され、短辺壁部６ｂに対応する長尺部材２の全長は、型枠６の短辺の長さ（短辺壁部６ｂと両角壁部６ｃ，６ｃとの合計長さ）よりも短く設定されている。
【００１２】
また、タイボルト３は、隣り合う辺の長尺部材２，２のコーナー締付受具１，１に十分に到達する長さであればよい。
【００１３】
言い換えると、本構造体は、隣り合う長尺部材２，２をタイボルト３等にて相互に結合して、型枠６を締め付けるように構成しているため、長尺部材２及びタイボルト３の長さを（従来に比べて）格段に短くすることができ、資材の軽量化及びコストダウンを図ることができる。
【００１４】
長尺部材２は、図３と図４に示すように、（鋼材等の）中空の角型管材であり、その両端部の外壁及び内壁に、長手方向に所定ピッチＰにて係止孔20…を有している。そして、２本の長尺部材２が、平行に所定間隔Ｋにて（一体状に）配設されている。なお、２本の長尺部材２，２を、溶接等にて一体状に固定してもよく、若しくは、相互に分離可能な別部材としてもよい。
【００１５】
コーナー締付受具１は、図５と図６に示すように、鋼板からなり、山型の係止折曲部13と、係止折曲部13の両下端縁に延設される第１底壁部14ａ・第２底壁部14ｂと、係止折曲部13の山型を保持するために係止折曲部13の内面に架設されるリブ部15と、を有している。
【００１６】
図３〜図６に示すように、第１底壁部14ａには、２本の長尺部材２，２の係止孔20，20に挿入される滑り止め用突出子10，10を有し、滑り止め用突出子10は、例えば、第１底壁部14ａにピン部材を貫通状に溶着することで構成される。なお、２つの滑り止め用突出子10，10の間隔は、２本の長尺部材２，２の係止孔20，20の間隔と同一とする。
【００１７】
第２底壁部14ｂには、２本の長尺部材２，２の係止孔20，20に挿入されるボルトを挿入する貫孔11，11を有し、２つの貫孔11，11の間隔は、２本の長尺部材２，２の係止孔20，20の間隔と同一とする。
【００１８】
滑り止め用突出子10と貫孔11とは、係止孔20…と同一の所定ピッチＰにて配設されている。即ち、コーナー締付受具１を、長尺部材２の係止孔20…に選択自在に取り付けることができる。
【００１９】
要するに、コーナー締付受具１の底壁部14ａ，14ｂの（２つの滑り止め用突出子10，10を結ぶ方向の）縦幅は、２本の長尺部材２，２の全幅と略同一となり、コーナー締付受具１の底壁部14ａ，14ｂが、２本の長尺部材２，２の外面全面にて、確実に支持される。
【００２０】
コーナー締付受具１は、その縦幅の中央部に、横幅方向（滑り止め用突出子10と貫孔11とを結ぶ方向）のタイボルト差込凹溝12が設けられている。具体的に述べると、タイボルト差込凹溝12は、第１底壁部14ａから、係止折曲部13の第２底壁部14ｂの直前位置まで、設けられている。
【００２１】
タイボルト差込凹溝12の溝幅Ｍは、タイボルト３（図９参照）の外径よりも大きく、かつ、２本の長尺部材２，２の所定間隔Ｋに比べて同等乃至小さく設定されている。
【００２２】
次に、図７と図８と図９に、本締付構造体の使用状態を示す。なお、図８と図９では、型枠６を省略して描いている。
【００２３】
即ち、型枠６のリブに当接された長尺部材２の係止孔20に、コーナー締付受具１の滑り止め用突出子10が挿入され、かつ、ボルト５が、長尺部材２の他の係止孔20、及び、コーナー締付受具１の貫孔11に、挿入されてナットにて結合され、コーナー締付受具１が長尺部材２，２に固定される。また、ボルト５は、滑り止め用突出子10が挿入される係止孔20よりも長尺部材２の端部側の係止孔20に挿入され、長尺部材２の端部開口側から、ボルト５の締付乃至取外を容易に行うことができる。要するに、コーナー締付受具１は、その貫孔11が長尺部材２の端部側となるように、長尺部材２に配設される。
【００２４】
タイボルト３の一端側が、一方の、２本の長尺部材２，２の間、及び、コーナー締付受具１のタイボルト差込凹溝12に挿通され、タイボルト３の他端側が、他方の、２本の長尺部材２，２の間、及び、コーナー締付受具１のタイボルト差込凹溝12に挿通されている。
【００２５】
タイボルト３の一端及び他端側から、夫々、当接部材９の孔部が嵌め込まれると共にナット４が螺合し、当接部材９が係止折曲部13とナット４との間に介在する。即ち、タイボルト差込凹溝12の溝幅Ｍよりも大きい当接部材９にて、タイボルト３のタイボルト差込凹溝12からの抜け止めを防止して係止させ、タイボルト３、ナット４、当接部材９を介して、隣り合うコーナー締付受具１，１を相互に結合している。
【００２６】
上述のように構成された構造体によれば、タイボルト３が、隣り合う長尺部材２，２の夫々に対して、タイボルト３と長尺部材２との成す内角が90°を越えるように、配設されているため、ナット４の締付力により、各長尺部材２，２が、型枠６側へ押し付けられ、型枠６を強く締め付けることができる。
【００２７】
なお、図７では、長辺壁部６ａと短辺壁部６ｂとの成す内角が直角となっている場合を示しているが、図10に示すように、長辺壁部６ａと短辺壁部６ｂとの成す内角が、直角以外の角度（図10では鈍角）となっている場合でも、隣り合うコーナー締付受具１，１を、タイボルト３・ナット４・当接部材９にて、結合することができる。このとき、当接部材９はくさび状に形成され、コーナー締付受具１の係止折曲部13にて、締付力を確実に受け止めることができる。
【００２８】
次に、図11と図12に示すように、長尺部材２の寸法が相当に長い場合、長尺部材２は、直列状に配設された複数の長尺部材単体２ａ…と、隣り合う長尺部材単体２ａ，２ａを相互に結合するジョイントアングル材７と、から成る。
【００２９】
ジョイントアングル材７は、内面に予め溶接されたナット21を有し、長尺部材単体２ａの内面側に配設されて、長尺部材単体２ａの外面側からボルト22にて共締めされている。
【００３０】
なお、本発明は上述の実施の形態に限定されず、例えば、長尺部材２の形状をチャンネルとしてもよく、また、ジョイントアングル材７を、長尺部材単体２ａの外面側に配設して結合するようにしてもよい。本発明の要旨を逸脱しない範囲で設計変更可能である。
【００３１】
【発明の効果】
本発明は上述の如く構成されるので、次に記載する効果を奏する。
【００３２】
（請求項１によれば、）隣り合う長尺部材２，２を結合して型枠６を締め付けるため、長尺部材２の長さを、型枠６の一辺よりも短くすることができ、かつ、タイボルト３の長さを、隣り合う長尺部材２，２を結合する程度に短くすることができ、全体の重量・嵩が小さくなって、型枠６の組立乃至解体作業を容易に行え、運搬・保管に至便なものとなり、構造が簡単で、コストダウンを図ることができる。また、コーナー締付受具１の２本の長尺部材２，２への取付位置を様々に変化させることができ、種々の大きさの型枠６…に対応できる。さらに、隣り合う長尺部材２，２の成す内角が直角に限らず、その他の角度でも適用でき、アール状の型枠６でも、確実に締め付けることができる。
【００３３】
（請求項２によれば、）一本の長尺部材２として軽量化できて、型枠６の組立乃至解体作業が一層容易なものとなる。
（請求項３によれば、）複数の長尺部材単体２ａ…を連結して長尺部材２を長くできるため、大きな（長い）型枠６にも適用できる。また、同じ長さの長尺部材単体２ａ…を大量生産でき、全体としてコストダウンを図ることができる。
（請求項４によれば、）長尺部材単体２ａとジョイントアングル材７とを容易に締め付けることができ、長尺部材２の組立乃至分解作業が容易となる。
【図面の簡単な説明】
【図１】  本発明の実施の一形態を示す平面図である。
【図２】  全体正面図である。
【図３】  長尺部材の正面図である。
【図４】  図３のＡ−Ａ断面図である。
【図５】  コーナー締付受具の正面図である。
【図６】  コーナー締付受具の平面図である。
【図７】  本発明の締付状態を示す要部拡大平面図である。
【図８】  本発明の締付状態を示す要部拡大側面図である。
【図９】  本発明の締付状態を示す要部拡大正面図である。
【図10】  本発明の他の締付状態を示す要部拡大平面図である。
【図11】  要部拡大正面図である。
【図12】  図11のＢ−Ｂ断面図である。
【符号の説明】
１  コーナー締付受具
２  長尺部材
２ａ  長尺部材単体
３  タイボルト
４  ナット
５  ボルト
６  型枠
７  ジョイントアングル材
９  当接部材
10  滑り止め用突出子
11  貫孔
12  タイボルト差込凹溝
13  係止折曲部
14ａ  第１底壁部
14ｂ  第２底壁部
20  係止孔
21  ナット
22  ボルト
Ｋ  所定間隔
Ｐ  所定ピッチ
【図１】
0003848590.tif 000002
【図２】
0003848590.tif 000003
【図３】
0003848590.tif 000004
【図４】
0003848590.tif 000005
【図５】
0003848590.tif 000006
【図６】
0003848590.tif 000007
【図７】
0003848590.tif 000008
【図８】
0003848590.tif 000009
【図９】
0003848590.tif 000010
【図１０】
0003848590.tif 000011
【図１１】
0003848590.tif 000012
【図１２】
0003848590.tif 000013